(57)【要約】      （修正有）【課題】運転席に着座の乗員にとっても利用し易く、しかも、インストルメントパネルの外観意匠に影響を及ぼすことなく、構成が簡単であり、部品点数を増やすことなく保持部を形成することができるグローブボックスを提供する。【解決手段】リッド部２とインナーボックス部４を備えた開閉式のグローブボックス１において、グローブボックス１を閉じた状態でリッド部２によって覆われるインナーボックス部４の運転席側の側壁部４ａに、長尺物を保持するための保持部６を設けた構成としている。【選択図】図２
2017065646.tif 000002
【特許請求の範囲】
【請求項１】
リッド部とインナーボックス部を備えた開閉式のグローブボックスにおいて、該グローブボックスを閉じた状態で上記リッド部によって覆われる上記インナーボックス部の運転席側の側壁部に、長尺物を保持するための保持部を設けたことを特徴とするグローブボックス。
【請求項２】
上記保持部は、上下に渡る凹部により形成したことを特徴とする請求項１に記載のグローブボックス。
【請求項３】
上記凹部一部を、上記インナーボックス部の奥側の壁に対向する縦壁によって形成し、もって、該縦壁と上記奥側の壁との間に、冊子状物のための収納空間を確保したことを特徴とする請求項２に記載のグローブボックス。
【請求項４】
上記凹部の一部を、上記リッド部の裏面によって形成したことを特徴とする請求項３に記載のグローブボックス。
【請求項５】
上記インナーボックスの内部を上下に延びる着脱式の仕切り壁を設置し、該仕切り壁で仕切られた範囲の底面に上下に貫通する穴部を設け、該仕切り壁によって画成する空間と上記穴部とにより上記保持部を形成したことを特徴とする請求項１に記載のグローブボックス。
【請求項６】
上記仕切り壁の一部を、上記インナーボックス部の奥側の壁に対向する縦壁とし、もって、該縦壁と上記奥側の壁との間に、冊子状物のための収納空間を確保したことを特徴とする請求項５に記載のグローブボックス。
【請求項７】
上記仕切り壁によって画成された上記保持部の一部を、上記リッド部の裏面によって形成したことを特徴とする請求項６に記載のグローブボックス。
【請求項８】
上記リッド部をその閉じる方向に付勢させ、上記保持部によって支えられている長尺物を上記リッド部の裏面で押さえるようにしたことを特徴とする請求項４または７に記載のグローブボックス。
【発明の詳細な説明】
【技術分野】
【０００１】
本発明は、グローブボックスに関し、詳しくは、リッド部とインナーボックス部を備えた開閉式のグローブボックスに関する。
【背景技術】
【０００２】
従来より、車両のインストルメントパネルには、一般的に、小物を収納するためのグローブボックスが備えられている。このグローブボックスは、リッド部とインナーボックス部とからなり、インストルメントパネルの内部に配設されたインナーボックス部が、リッド部により開閉できるように構成されている。
【０００３】
グローブボックスは、通常、インストルメントパネルの車両の助手席側に設置されている。グローブボックスのリッド部は、インストルメントパネルの表面に面一に設置され、該インストルメントパネルの外観意匠の一部を構成している。
【０００４】
ところで、従来より、車室には、例えば、濡れた傘を一時的に置いておくのに適した場所がないので、通常は、後部席の足元や、助手席に置く場合が多かった。このため、シートやフロアカーペットを濡らしてしまうことがある。
【０００５】
そこで、従来より、傘を保持するための傘ホルダを備えた車両のグローブボックスが提案されている（特許文献１および２参照）。
【０００６】
例えば、特許文献１に記載された傘ホルダは、プッシュロック機構を備えた略Ｊ字形状のフックを備えた構成となっており、グローブボックスのリッド部に、その表側から押し込んで取り付けられるようになっている。使用に際しては、該フックを助手席側に引き出すと、該フックがリッド部から突出し、これにより、該フックに傘を掛けることができるようになる。
【０００７】
また、特許文献２に記載された傘ホルダは、グローブボックスのインナーボックス部の底部に、フックをスライド自在に設置した構成となっている。使用に際しては、リッド部を開けて上記インナーボックス部を車室に臨ませ、上記フックを手前に引いて車室に突出させる。これにより、該フックに傘を掛けることができるようになる。
【先行技術文献】
【特許文献】
【０００８】
【特許文献１】特開２００９−２７４６７４号公報
【特許文献２】特開１９９６−１０８８０５号公報
【発明の概要】
【発明が解決しようとする課題】
【０００９】
しかしながら、上述した特許文献１に開示の技術では、リッド部の表面にその傘ホルダが露出する構成であるため、インストルメントパネルの外観意匠が悪化する不具合がある。しかも、同技術では、傘ホルダのためのケースやコイルばね等が必要であり、部品点数が多くなる欠点がある。また、特許文献２に開示の技術でも、傘を掛ける保持具をスライドさせるスライド機構をインナーボックス部の底部に設置する必要があり、構成が複雑であり、部品点数が多くなる不具合がある。
【００１０】
本発明はこのような実状に鑑みてなされたものであって、その目的は、運転席に着座の乗員にとっても利用し易く、しかも、インストルメントパネルの外観意匠に影響を及ぼすことなく、構成が簡単であり、部品点数を増やすことなく保持部を形成することができるグローブボックスを提供することにある。
【課題を解決するための手段】
【００１１】
上記課題を解決するため、本発明に係るグローブボックスの一態様では、リッド部とインナーボックス部を備えた開閉式のグローブボックスにおいて、該グローブボックスを閉じた状態で上記リッド部によって覆われる上記インナーボックス部の運転席側の側壁部に、長尺物を保持するための保持部を設けた構成としている。
【００１２】
また、本発明に係るグローブボックスの一態様では、上記保持部は、上下に渡る凹部により形成した構成としている。
【００１３】
本発明は本発明に係るグローブボックスの一態様では、上記凹部の一部を、上記インナーボックス部の奥側の壁に対向する縦壁によって形成し、もって、該縦壁と上記奥側の壁との間に、冊子状物のための収納空間を確保した構成としている。
【００１４】
本発明は本発明に係るグローブボックスの一態様では、上記凹部の一部を、上記リッド部の裏面によって形成した構造としている。
【００１５】
本発明は本発明に係るグローブボックスの一態様では、上記インナーボックスの内部を上下に延びる着脱式の仕切り壁を設置し、該仕切り壁で仕切られた範囲の底面に上下に貫通する穴部を設け、該仕切り壁によって画成する空間と上記穴部とにより上記保持部を形成した構造としている。
【００１６】
本発明は本発明に係るグローブボックスの一態様では、上記仕切り壁の一部を、上記インナーボックス部の奥側の壁に対向する縦壁とし、もって、該縦壁と上記奥側の壁との間に、冊子状物のための収納空間を確保した構造としている。
【００１７】
本発明は本発明に係るグローブボックスの一態様では、上記仕切り壁によって画成された上記保持部の一部を、上記リッド部の裏面によって形成した構造としている。
【００１８】
本発明は本発明に係るグローブボックスの一態様では、上記リッド部をその閉じる方向に付勢させ、上記保持部によって支えられている長尺物を上記リッド部の裏面で押さえるようにした構造としている。
【発明の効果】
【００１９】
上述の如く、本発明に係るグローブボックスの一態様では、リッド部とインナーボックス部を備えた開閉式のグローブボックスにおいて、該グローブボックスを閉じた状態で上記リッド部によって覆われる上記インナーボックス部の運転席側の側壁部に、長尺物を保持するための保持部を設けた構成としているので、上記保持部を使用しないときは上記グローブボックスのリッド部を閉じることにより、上記保持部を隠すことができる。これにより、インストルメントパネルの外観意匠を良好に保つことができる。また、上記保持部を運転席側に設けたことにより、助手席に着座する乗員のみならず、運転席側に着座する乗員も容易に使用することができる。
【００２０】
また、本発明に係るグローブボックスの一態様では、上記保持部は、上下に渡る凹部により形成した構成としているので、構成が簡単であり、部品点数を増やすことなく保持部を形成することができ、車両のコストアップを避けることができる。
【００２１】
さらに、本発明に係るグローブボックスの一態様では、上記凹部の一部を、上記インナーボックス部の奥側の壁に対向する縦壁によって形成し、もって、該縦壁と上記奥側の壁との間に、冊子状物の細い収納空間を確保できる構成としているので、該空間に車検証やマニュアル等の冊子状物を収納し、該冊子状物の一部を支持させることができ、該グローブボックス内で冊子類を一定の位置に保持することも可能となる。
【００２２】
さらにまた、本発明に係るグローブボックスの一態様では、上記凹部の一部を、上記リッド部の裏面によって形成した構成としているので、該リッド部を用いることで、上記保持部を最も手前の角部に寄せて設けることが可能となり、上記インナーボックス部の奥側にまとまった収納空間を確保することができる。しかも、これまでのリッド部を利用するので、部品点数を増やすことなく、上記保持部を形成することができる。さらに、長尺物を上記凹部に挿入した状態で上記リッド部を占める方向に付勢させるように構成することにより、長尺物をしっかり押さえて固定することができる。
【００２３】
さらに、本発明に係るグローブボックスの一態様では、上記インナーボックスの内部を上下方向に延びる着脱式の仕切り壁を設置し、該仕切り壁で仕切られた範囲の底面に上下に貫通する穴部を設け、該仕切り壁によって画成する空間と上記穴部とにより上記保持部を形成した構造としているので、長尺物を収納しない時は、上記仕切り壁を外すことにより、広い収納空間を利用することが可能となる。また、上記穴部を飲料容器の底よりも小さく設定することにより、上記仕切り壁により仕切られた空間をドリンクホルダーとして使用することが可能となる。
【００２４】
さらに、本発明に係るグローブボックスの一態様では、上記仕切り壁の一部を、上記インナーボックス部の奥側の壁に対向する縦壁とし、もって、該縦壁と上記奥側の壁との間に、冊子状物の収納空間を確保した構成としているので、上記仕切り壁を用いて上記保持部を形成した場合でも、該仕切り壁の縦壁と上記奥側の壁との間に、冊子状物の細い収納空間を確保することができるので、該空間に車検証やマニュアル等の冊子状物を収納し、該冊子状物の一部を支持させることができ、該グローブボックス内で冊子類を一定の位置に保持することも可能となる。
【００２５】
さらに、本発明に係るグローブボックスの一態様では、上記仕切り壁によって画成された上記保持部の一部を、上記リッド部の裏面によって形成した構成としているので、上記仕切り壁を用いて上記保持部を形成した場合でも、上記保持部を最も手前の角部に寄せて設けることが可能となり、上記インナーボックス部の奥側にまとまった収納空間を確保することができる。しかも、これまでのリッド部を利用するので、部品点数を増やすことなく、上記保持部を形成することができる。
【００２６】
さらに、本発明に係るグローブボックスの一態様では、上記リッド部をその閉じる方向に付勢させる構成とすることにより、上記保持部によって支えられている長尺物をさらに安定的に保持固定することができる。
【図面の簡単な説明】
【００２７】
【図１】本発明に係るグローブボックスの一実施形態が適用されたインストルメントパネルを示す斜視図である。
【図２】本発明に係るグローブボックスの一実施形態を示すもので、そのグローブボックスを拡大して示す斜視図である。
【図３】本発明に係るグローブボックスの一実施形態を示すもので、そのグローブボックスの保持装置に傘を収納した様子を示す断面図である。
【図４】本発明に係るグローブボックスの他の実施形態を示すもので、そのグローブボックスを拡大して示す斜視図である。
【発明を実施するための形態】
【００２８】
以下、本発明に係るグローブボックスの一実施形態について説明する。図１〜３は、本発明に係るグローブボックスの一実施形態を示すものである。
【００２９】
本実施形態のグローブボックス１は、リッド部２と該リッドによって開閉され、インストルメントパネル３の内部に設置されるインナーボックス部４とから構成されるものである。インナーボックス部４は、一般的に、インストルメントパネル３の車両の助手側に設置されている。グローブボックス１は、そのリッド部２を手前に倒すと、そのインナーボックス部４が車室側に開口するように構成されている。また、グローブボックス１のリッド部２は、インストルメントパネル３の外観意匠の一部を構成している。この様子が、図３において２点鎖線で示されている。図３より明らかなように、グローブボックス１が閉じているときには、リッド部２の表面とインストルメントパネル３の表面が面一になっている。
【００３０】
本実施形態では、インナーボックス部４の中心よりも運転席側に近い側であって、グローブボックス１を閉じた状態でリッド部２によって覆われる箇所に、例えば、インナーボックス部４の運転席側の側壁部４ａに、傘等の長尺物５を一時的に保持するための保持部６を設けている。保持部６は、側壁部４ａのリッド部２側へ形成した凹部７によって形成される。凹部７について詳しく説明すると、インナーボックス部４の運転席側の側壁部４ａの中間部分４ｂをインナーボックス部４の内部側に向けてその奥側の壁４ｃに平行に折曲し、さらにその先のリッド側部分４ｄをリッド部２側へ向けて折曲することにより、凹部７が形成されている。凹部７は、側壁部４ａの中間部分４ｂとリッド側部分４ｄとリッド部２の裏面とにより画成され、運転席側に開口し、かつ上下に貫通するように形成されている。
【００３１】
使用に際しては、まずリッド部２を手前に倒してインナーボックス部４を車室側に開口させて保持部６を車室に臨ませる。この状態において、上方からあるいは運転席側から傘などの長尺物５を凹部７内に挿入することにより、該長尺物を保持部６によって一次的に収納保持することができ、長尺物５がとくに傘の場合は、補助部６はいわゆる傘ホルダとして機能する。
【００３２】
保持部６を使用中は、長尺物５はリッド部２の裏面によって支えられ、とくに、リッド部２が閉める方向に付勢される構成となっている場合は、長尺物５はリッド部２の裏面によって押さえられ、さらにしっかりと安定的に保持される。
【００３３】
また、本実施形態では、保持部６が運転席側に開口しているので、運転席側からの保持部６へのアクセスが容易である。したがって、助手席の乗員だけでなく、運転席に着座する乗員も容易に保持部６を使用することができる。さらに、凹部７の一部を形成するインナーボックス部４の運転席側の側壁部４ａの中間部分４ｂを該インナーボックス部の内部側に向けて折曲させて、該インナーボックス部の奥側の壁４ｃに対向する縦壁を形成しているので、該縦壁と奥側の壁４ｃとの間に、冊子状物のための収納空間８を確保することができる。このような収納空間８には、車検証、マニュアル、各種冊子、雑誌類を収納することができ、これらを収納する際には、中間部分４ｂが縦壁となって本立ての役目を果たし、これらの冊子類を一定の位置に保持することができ、グローブボックス１の収納性の向上させることができる。
【００３４】
さらに、本実施形態に係るグローブボックス構造では、その保持部６は、インナーボックス部４の側壁部４ａに凹部７を設けただけの簡単な構成であり、部品点数も少なくて済み、車両のコストアップを避けることができる。しかも、保持部６は、リッド部２を閉じれば、グローブボックス１内に隠れ、該リッド部の表に露出することがないので、インストルメントパネル２の外観意匠を悪化させることはない。
【００３５】
図４は、本発明に係るグローブボックスの他の実施形態を示すものである。なお、重複説明を避けるため、図２に示した要素と同一機能・作用を有するものについては同一の符号を付し、それらの詳細な説明は省略する。
【００３６】
本実施形態で採用する保持部６は、とくにインナーボックス部４の運転席側の側壁部４ａの略中間部分に、該インナーボックス内部に開口する態様で形成した上下に延びる溝部９と、水平断面が略Ｌ字形状であって上下方向に延びる仕切り壁１０と、インナーボックス部４の底部４ｅの後述する所定位置に形成した丸い穴部１１とから構成されている。とくに、溝部９は、インナーボックス部４の内部に開口する態様で、側壁部４ａにその上下に渡って形成されている。
【００３７】
保持部６を構成するには、仕切り壁１０の一端１０ａを溝部９に嵌入装着して、該仕切り壁の他端１０ｂをリッド部２の裏面に密着させればよい。これにより、保持部６は、インナーボックス部４の運転席側の側壁部４ａのリッド側部分４ｄと仕切り壁１０とによって画成される。
【００３８】
また、保持部６は、穴部１１によって上下に貫通されている。穴部１１は、仕切り壁１０で仕切られた範囲、すなわち、リッド側部分４ｄと仕切り壁９とリッド部２の運転席側部分２ａの裏面とにより囲まれて形成される空間の下方に形成されている。なお、穴部１０の形状は、丸に限らず、四角でも良く、その形状はとくに限定されない。
【００３９】
使用に際しては、まず、リッド部２を手前に倒してインナーボックス部４を車室側に臨ませる。この状態で保持部６が現れるので、上方から傘などの長尺物６を保持部６内に挿通することにより、該長尺物を該保持部によって一次的に収納保持することができる。長尺物６が傘の場合は、保持部６をいわゆる傘ホルダとして利用することができる。
【００４０】
なお、上記実施形態では、仕切り壁１０を常時設置しているような説明をしたが、本発明はこれに限らず、必要に応じて仕切り壁１０を設置し、使用しないときは仕切り壁１０を外しておくようにしても勿論良い。仕切り壁１０を外しておくようにすれば、インナーボックス部４の容量を大きくして、より多くの物を収納することができる等、従来通り、インナーボックス部４内を広く利用することができる。
【００４１】
また、保持部６がインナーボックス部４の運転席側に設けられているので、前記実施形態の場合と同様に、運転席側からの保持部６へのアクセスが容易である。したがって、助手席の乗員だけでなく、運転席に着座する乗員も容易に保持部６を使用することができる。
【００４２】
さらに、本実施形態では、保持部６をインナーボックス４の側壁部４ａ近くの角部に寄せて設けるようにしたことにより、その奥側にまとまった冊子状物のための収納空間８を確保することができる。しかも、仕切り壁１０の一端１０ａをインナーボックス部４の奥側の壁４ｃに対向する縦壁としているので、該縦壁を本立てとして、該縦壁と奥側の壁４ｃとの間の収納空間８に収納された車検証、マニュアル、各種冊子、雑誌類を一定の位置に保持することができ、グローブボックス１の収納性の向上させることができる。
【００４３】
本実施形態に係るグローブボックスでは、その保持部６がインナーボックス部４の側壁部４ａに着脱式の仕切り壁１０を設置しただけの簡単な構成であり、部品点数も少なくて済み、車両のコストアップを避けることができる。また、この保持部６は、リッド部２の表面に露出することがなく、インストルメントパネル３の外観意匠を悪化させることがない。
【００４４】
また、本実施形態では、穴部１１を飲料容器の底の径よりも小さく設定している場合には、保持部６の仕切り壁１０をドリンクホルダとして利用することも可能である。
【００４５】
以上、本発明の実施の形態につき述べたが、本発明は既述の実施の形態に限定されるものではなく、本発明の技術的思想に基づいて各種の変形及び変更が可能である。
【符号の説明】
【００４６】
１  グローブボックス
２  リッド部
２ａ  運転席側部分
３  インストルメントパネル
４  インナーボックス部
４ａ  側壁部
４ｂ  中間部分
４ｃ  奥側の壁
４ｄ  リッド側部分
４ｅ  底部
５  長尺物
６  保持部
７  凹部
８  収納空間
９  溝部
１０  仕切り壁
１０ａ  一端
１０ｂ  他端
１１  穴部
【図１】
2017065646.tif 000003
【図２】
2017065646.tif 000004
【図３】
2017065646.tif 000005
【図４】
2017065646.tif 000006